(57)【要約】【課題】趣向を凝らしたメダル排出機構を有するメダル遊戯機を提供する。【解決手段】積層関係にある少なくとも２枚のプレート１，２を有しており、かつこれらプレート１，２のうち少なくとも１枚のプレート２が往復運動をすることによって下位のプレート１上に載置されたメダルをメダル排出口１４に通じるメダル搬送路に落下させることが可能なプレイフィールドＺを備えたメダル遊戯機Ｘであって、下位のプレート１から落下するメダルを受容可能なメダル受容具３を有しており、このメダル受容具３は、所定数のメダルを受容したときに、これらメダルを上記メダル搬送路に落下させるように回転してから回転前の姿勢に戻ることができるように構成されている。【選択図】　図２
2004113567.tif 000002
【特許請求の範囲】
【請求項１】
積層関係にある少なくとも２枚のプレートを有しており、かつこれらプレートのうち少なくとも１枚のプレートが往復運動をすることによって下位のプレート上に載置されたメダルをメダル排出口に通じるメダル搬送路に落下させることが可能なプレイフィールドを備えたメダル遊戯機であって、
上記下位のプレートから落下するメダルを受容可能なメダル受容具を有しており、
このメダル受容具は、所定数のメダルを受容したときに、これらメダルを上記メダル搬送路に落下させるように回転してから回転前の姿勢に戻ることができるように構成されていることを特徴とする、メダル遊戯機。
【請求項２】
上記メダル受容具は、軸によって上下方向に揺動可能に支持されているとともに、上記軸を挟んで互いに反対側に位置する第１および第２の部分を有しており、かつ、
上記第１の部分には、メダルの出入口となる開口部を有するメダル収容部が形成されており、このメダル収容部に上記所定数のメダルが収容されるまでは、上記第１の部分が上記第２の部分よりも上位に位置することが可能なように構成されている、請求項１に記載のメダル遊戯機。
【請求項３】
上記第２の部分には、錘が設けられている、請求項２に記載のメダル遊戯機。
【請求項４】
上記第２の部分には、上記錘を出し入れ自在とする錘収容用の空間部が形成されている、請求項３に記載のメダル遊戯機。
【請求項５】
上記メダル受容具は、複数設けられている、請求項１ないし４のいずれかに記載のメダル遊戯機。
【発明の詳細な説明】
【０００１】
【発明の属する技術分野】
本願発明は、いわゆるプッシャゲーム機構を含んで構成されているメダル遊戯機に関する。
【０００２】
【従来の技術】
従来のこの種のメダル遊戯機の一例として、本願の図７に示されたものがある（特許文献１参照。）。
【０００３】
図７に示されたメダル遊戯機は、いわゆるプッシャゲーム機と呼ばれるものであり、予め準備された、あるいは先に投入された多数個のメダルｍが載置された第１プレート１０１と、この第１プレート１０１の上面に接触しながら矢印Ａ，Ｂ方向に所定のストロークで往復運動する第２プレート１０２と、を有するプレイフィールド１００を備えている。
【０００４】
遊戯者がプレイフィールド１００内にメダルを投入するメダル投入器１０３の操作を行なって、たとえば第２プレート１０２が矢印Ａ方向に移動したときに第１プレート１０１上の奥部に上記メダルを送出し、載置させることができれば、第２プレート１０２が矢印Ｂ方向に移動したときに上記メダルは第１プレート１０１上の多数個のメダルｍ内に押し込まれる。このことによって、多数個のメダルｍの配置が変動し、多数個のメダルｍのうち第１プレート１０１の先端縁に位置していたメダルが第１プレート１０１から落下し、メダル排出口（図示略）へと導かれることとなる。このようなメダル排出機構によって、遊戯者はメダルを獲得することとなる。
【０００５】
【特許文献１】
特開２００２−２１０２２２号公報（第７−９頁、図３）
【０００６】
【発明が解決しようとする課題】
上記従来のメダル遊戯機においては、第１プレート１０１上のメダルは第２プレート１０２の往復運動によって第１プレート１０１から落下するか、または第１プレート１０１上に残留するかのいずれかであって、第１プレート１０１から落下したメダルは遊戯者の手に渡ることとなる。また、遊戯者は、自らのプレイによって第１プレート１０１から落下させたメダルを獲得するにすぎず、それ以上のメダルを獲得するということは皆無にひとしかった。このように上記従来のメダル遊戯機のメダル排出機構は、単調なものであって趣向を凝らしたものとはいえなかった。
【０００７】
本願発明は、このような事情のもとで考え出されたものであって、趣向を凝らしたメダル排出機構を有するメダル遊戯機を提供することをその課題としている。
【０００８】
【発明の開示】
上記の課題を解決するために、本願発明では、次の技術的手段を講じている。
【０００９】
本願発明によって提供されるメダル遊戯機は、積層関係にある少なくとも２枚のプレートを有しており、かつこれらプレートのうち少なくとも１枚のプレートが往復運動をすることによって下位のプレート上に載置されたメダルをメダル排出口に通じるメダル搬送路に落下させることが可能なプレイフィールドを備えたメダル遊戯機であって、上記下位のプレートから落下するメダルを受容可能なメダル受容具を有しており、このメダル受容具は、所定数のメダルを受容したときに、これらメダルを上記メダル搬送路に落下させるように回転してから回転前の姿勢に戻ることができるように構成されていることを特徴としている。
【００１０】
このような構成によれば、遊戯者が自らのプレイによって上記下位のプレートからメダルを落下させたとしても、そのメダルが直ちに上記遊戯者の手に渡る可能性は小さくなり、上記下位のプレートから落下したメダルのほとんどが上記メダル受容具に受容されることとなる。上記遊戯者が上記メダル受容具にメダルを入れ続け、上記メダル受容具内のメダル枚数が上記所定数に達したときにはじめて、上記遊戯者は上記メダル受容具に受容されていたメダルを獲得することができる。そのため、上記メダル受容具に受容されているメダルの枚数が上記所定数に達する前の段階でプレイを終了すれば、遊戯者は自らのプレイによって上記下位のプレートから落下させたメダルをも獲得することはできない。その一方でたとえば遊戯者のプレイ前に上記メダル受容具にメダルが既に受容されていた場合には、遊戯者は自らのプレイによって上記下位のプレートから落下させたメダルの枚数以上のメダルを獲得できる機会を有することとなる。このように、上記した構成は、遊戯者にスリルを与えるような工夫がなされており、興趣が増大したものとなっている。
【００１１】
本願発明の好ましい実施の形態においては、上記メダル受容具は、軸によって上下方向に揺動可能に支持されているとともに、上記軸を挟んで互いに反対側に位置する第１および第２の部分を有しており、かつ、上記第１の部分には、メダルの出入口となる開口部を有するメダル収容部が形成されており、このメダル収容部に上記所定数のメダルが収容されるまでは、上記第１の部分が上記第２の部分よりも上位に位置することが可能なように構成されている。
【００１２】
本願発明の好ましい実施の形態においては、上記第２の部分には、錘が設けられている。
【００１３】
このような構成によれば、上記メダル受容具は、上記メダル収容部に上記所定数のメダルが収容されるまでは、上記錘の重さによって、上記第１の部分が上記第２の部分よりも上位に位置した姿勢で上記下位のプレートから落下するメダルを上記メダル収容部に収容することができる。上記メダル収容部に収容されたメダルの枚数が上記所定数に達すると、上記メダル収容部の重さが上記錘の重さに勝って、上記メダル受容具は上記軸を中心として上記第１の部分が上記第２の部分よりも下位となるように回転するとともに、収容していたメダルを上記メダル搬送路に落下させることができる。このようにしてメダルを排出した後、上記メダル受容具は上記錘の重さによって元の姿勢に戻されて、上記下位のプレートから落下してくるメダルを再度待ち受けることとなる。このように、上記メダル受け具は適正にその役割を果たすことが可能となる。
【００１４】
本願発明の好ましい実施の形態においては、上記第２の部分には、上記錘を出し入れ自在とする錘収容用の空間部が形成されている。
【００１５】
このような構成によれば、上記錘とは重さの異なる錘に入れ替えたり、錘の数を増減させることにより、上記第２の部分の重量調整を行なうことが可能となる。そのため、上記メダル受容具にメダル排出を行なわせるのに必要なメダル枚数を適宜変更することが可能となる。
【００１６】
本願発明の好ましい実施の形態においては、上記メダル受容具は、複数設けられている。
【００１７】
このような構成によれば、たとえばそれぞれのメダル受容具に既に受容されているメダル枚数が異なる場合、いち早く多くのメダルを獲得するために、受容されているメダル枚数が最も多いメダル受容具にねらいを定めてメダルを落とし入れるというスキルを必要とする面白さが生まれる。また、たとえば多くのメダル受容しているメダル受容具が複数存在する場合においては、多量のメダルを獲得させる機会を遊戯者に複数回与えることができるため、遊戯者のプレイ時間を従来よりも長くさせることが可能となる。
【００１８】
本願発明のその他の特徴および利点については、以下に行う発明の実施の形態の説明から、より明らかになるであろう。
【００１９】
【発明の実施の形態】
以下、本願発明の好ましい実施の形態について、図面を参照しつつ具体的に説明する。
【００２０】
図１は、本願発明に係るメダル遊戯機の一実施形態の外観を示している。本実施形態のメダル遊戯機Ｘは、図示されているように、正多角形をした下部筐体１０ａ上に正多角形をした透明のショーケース１０ｂが設けられた構成を有している。下部筐体１０ａおよびショーケース１０ｂは、たとえば８〜１０人が同時にプレイできるように、周方向に等分された各ゾーン１１に分けられている。各ゾーン１１においては、左右２箇所にメダル投入口１２が設けられているとともに、下部筐体１０ａには、メダル排出口１４が設けられている。メダル遊戯機Ｘはいわゆるプッシャゲーム機と呼ばれるものであって、ショーケース１０ｂ内には各ゾーン１１ごとにそれぞれプッシャゲーム機構Ｙが配置されている。本願発明は、このプッシャゲーム機構Ｙに特徴を有している。
【００２１】
図２は、プッシャゲーム機構Ｙの構成を概略的に示している。プッシャゲーム機構Ｙは、横方向に延びる手前縁を有する固定状の第１プレート１およびこの第１プレート１の上面に接触しながら第１プレートのやや奥方において手前方向への進出と奥方向への後退とを繰り返す第２プレート２を有するプレイフィールドＺと、第１プレート１の手前縁の下方領域に設けられた５つのメダル受容具３と、を備えている。また、メダル受容具３の下方領域には、メダル排出口１４に通じるメダル搬送路（図示略）が設けられている。
【００２２】
第１プレート１上には、予め準備されたメダルやメダル投入口１２から投入されたメダルを含むメダル群Ｍが載置されている。第１プレート１は、上面に載置されたメダルが簡単に落下しないように、略水平に設けられているとともに、手前縁には上方に向かうほど前方に変位するように傾斜している傾斜部１ａを有している。
【００２３】
第２プレート２の進出動によって、メダル群Ｍは第１プレート１の手前方向に押し出される。一方、図３に示されているように、第２プレート２の後退動によって、第１プレート１上には、メダル群Ｍと第２プレート２の手前縁との間にスペースＳが形成されることとなる。このスペースＳにたとえばメダル投入口１２から投入したメダルｍ１を送出し、載置させることができれば、第２プレート２は進出動によってメダルｍ１をメダル群Ｍ内に押し込むこととなる。このことにより、メダル郡Ｍはさらに手前方向に押し出されることとなり、第１プレート１の傾斜部１ａ付近にあったメダルｍ２は、第１プレート１から落下することとなる。従来においては、このように第１プレート１から落下したメダルは直ちにメダル排出口１４に払い出されて遊戯者の手に渡ることとなるが、プッシャゲーム機構Ｙにおいては、このようなメダルは５つのメダル受容具３のいずれかに受容されることとなる。
【００２４】
メダル受容具３は、たとえば第１プレート１の下面の手前縁に固定された固定部材４が有する軸５周りに揺動可能に支持されている。固定部材４は、第１プレート１の手前縁に沿って延びる断面略Ｌ字状の中間部４１と、この中間部４１の両端部に取り付けられた側方部４２とを有している。軸５は、第１プレート１の手前縁と略平行となるように側方部４２に取り付けられている。
【００２５】
メダル受容具３は、図４に示されているように、たとえば長矩形状の正面部３１と、正面部３１の長手方向に延びる両側縁から正面部３１と直角に交わる方向に突出した一対の側板部３２とを有する断面略コ字状の本体部３０を備えている。本体部３０の一方端には、端板部３３が設けられいる。メダル受容具３は、各側板部３２の中間部を貫通する軸５を挟んで互いに反対側に位置する第１および第２の部分３ａ，３ｂを有している。
【００２６】
第１の部分３ａには、軸５の近傍に平板３４が設けられており、メダルの出入口となる開口部３５を有するメダル収容部３６が形成されている。第２の部分３ｂは、端板部３３側であって、この端板部３３と本体部３０とによって囲まれた空間部３９には略球状の錘３７が設けられている。錘３７の転落防止用として、第２の部分３ｂには蓋３８が設けられている。蓋３８は開閉自在であって、錘３７の出し入れを自由に行なうことができる。第２の部分３ｂは、錘３７が設けられた状態であっても、錘３７が幾分転がることが可能なスペースを有している。
【００２７】
通常時、メダル受容具３は、錘３７の重さによって第１の部分３ａが第２の部分３ｂよりも上位となった姿勢で安定するとともに、メダル収容部３６の開口部３５を第１プレート１の手前縁側に向けた状態で軸５によって支持されている。これにより、第１プレート１から落下してくるメダルは開口部３５を介してメダル収容部３６に収容されることとなる。
【００２８】
本実施形態においては、上方に向かうほど手前側に変位するように傾斜している傾斜面を有する傾斜部材６が、通常時に上記傾斜面とメダル受容具３の正面部３１とを接触させるようにして固定部材４に取り付けられている。そのため、メダル受容具３は、傾斜部材６の傾斜に合わせて前傾し、メダルを受容しやすいメダル待ち受け姿勢を維持している。また、本実施形態においては、メダル受容具３は、第１プレート１の手前縁全域に渡って隙間を有することなく横方向に並んで設けられているため、第１プレート１から落下してくるメダルを受け損じることなく受容することが可能となっている。
【００２９】
上記したメダル受容具３において、第１プレート１から落下してくるメダルがメダル収容部３６に溜まってくると、このメダル収容部３６の重さが重くなるにつれて、メダル受容具３は、図５に示されているように、正面部３１が傾斜部材６から離れるようにして手前方向に徐々に傾いていく。やがてメダル収容部３６に所定数のメダルが収容されて、メダル収容部３６の重さが錘３７の重さに勝ると、メダル受容具３は、図６に示されているように、第１の部分３ａが第２の部分３ｂよりも下位となるように軸５周りに回転するとともに、メダル収容部３６に収容されていたメダルを上記メダル搬送路に落下させる。落下したメダルは、メダル排出口へ払い出されて、遊戯者に獲得されることとなる。その後、メダル受容具３は、錘３７の重さによって、上記したようなメダル排出姿勢からメダル待ち受け姿勢に戻されて、正面部３１が傾斜部材６と接触した状態で、第１プレート１から落下してくるメダルを再度待ち受けることとなる。
【００３０】
上述したように、錘３７が略球状であるとともに、第２の部分３ｂに錘３７が転がることのできるスペースを設けているため、メダル待ち受け姿勢とメダル排出姿勢とを繰り返すメダル受容具３の揺動を錘３７が上記スペースを転がることによって円滑かつ俊敏にさせることができる。錘の数を変更したり、重さの異なる錘に入れ替えるなどして第２の部分３ｂの重さ調整を行うことによって、メダル受容具３にメダル排出姿勢をとらせるのに必要なメダル枚数を適宜変更することが可能となる。なお、錘は略球状に限定されず、略円柱状であってもよい。このような場合であっても、本実施形態と同様の効果を得ることができる。
【００３１】
このように、本実施形態のメダル遊戯機のプッシャゲーム機構Ｙにおいては、遊戯者は、第１プレート１から落下させたメダルを直ちに獲得することができない。第１プレート１から落下させたメダルをメダル受容具３に入れ続け、メダル受容具３にメダル排出姿勢をとらすことができてはじめて、遊戯者はメダルを獲得することとなる。そのため、メダル受容具３にメダル排出姿勢をとらせる前にプレイを終了すれば、自らのプレイによって第１プレート１上から落下させたメダルをも獲得できないこととなる。しかし、プレイ前の状態で既にメダル受容具３にメダルが受容されている場合には、遊戯者は自らのプレイによって第１プレート１から落下させたメダル枚数以上のメダルを獲得できるチャンスを有することとなる。メダル受容具３からメダルを排出させることができた際には、遊戯者に達成感や爽快感を与えることができる。プッシャゲーム機構Ｙは、このような趣向が凝らされており、興趣が増大したものとなっている。
【００３２】
メダル受容具３はメダルを受容するにつれて徐々に前方に傾斜していくため、遊戯者はメダルを排出させるのにメダルをあとどの程度メダル受容具３に受容させればよいかということを視覚的に捉えることができる。そのため、メダル受容具３がメダル排出寸前の状態である場合などには、遊戯者に期待感を与えるとともに、この状態でプレイを終了することはできないという心境にさせる効果があり、従来よりもプレイ時間を長くさせることが可能となる。
【００３３】
プッシャゲーム機Ｙにおいて、複数のメダル受容具を設けたことによって、より多くのメダル受容具にメダル排出姿勢をとらせて、多量のメダルを獲得させる機会を遊戯者に与えることができる。また、たとえばそれぞれのメダル受容具に既に受容されているメダル枚数が異なる場合には、受容しているメダル枚数が最も多いメダル受容具にねらいを定めてメダルを落とし入れるというスキルを遊戯者に要求することができ、面白さが増大したものとなっている。
【００３４】
以上に加え、たとえばメダル遊戯機Ｘにメダル受容具３がメダル排出姿勢をとったか否かを検知することができるセンサを設け、このセンサがメダル受容具３のメダル排出姿勢を検知すれば抽選を行ない、その抽選結果に応じた所定枚数のメダルが払い出されるようにしてもよい。また、たとえばメダル遊戯機Ｘの他の機構においてスキルを必要とする場合には、うまく成功したときの報酬として、モータなどの利用によりメダル受容具３を駆動させて、メダルが排出されるようにしてもよい。このようにすれば、さらに興趣が高められることとなる。
【００３５】
本願発明は、上述した実施形態の内容に限定されるものではない。たとえば、メダル受容具の第２の部分に錘を設けることに限定されず、メダル受容具の端板部と固定部材との間に、これらを接続するバネなどの弾性体を設けてもよい。このような構成であっても、メダル受容具にメダル待ち受け姿勢とメダル排出姿勢とを繰り返させることが可能である。メダル受容具の数は５つに限定されず、また隙間を有することなく横方向に並べることにも限定されない。隙間を有してメダル受容具を並べるとともに、固定部材に切欠きを設けるなどして、第１プレートから落下してきたメダルのうち、メダル受容具が受容できなかったメダルについては、上記切欠きおよびメダル搬送路を介してメダル排出口に払い出してもよい。
【００３６】
往復運動をするのは第２プレートに限定されず、第１プレートが往復運動をしてもよい。プレイフィールドが有するプレートは、第１および第２プレートの２枚に限定されず、第３，４プレートを有していてもよい。これらのプレートから落下したメダルがメダル受容具に受容される構成であればよい。その他、本願発明に係るメダル遊戯機の各部の具体的な構成は、種々に設計変更自在である。
【図面の簡単な説明】
【図１】本願発明に係るメダル遊戯機の一例を示す外観図である。
【図２】図１に示すメダル遊戯機のプッシャゲーム機構の概略斜視図である。
【図３】図１に示すメダル遊戯機のプッシャゲーム機構の概略斜視図である。
【図４】図１に示すメダル遊戯機のプッシャゲーム機構が有するメダル受容具の斜視図である。
【図５】図４に示すメダル受容具の作用説明図である。
【図６】図４に示すメダル受容具の作用説明図である。
【図７】従来のメダル遊戯機の一例を示す断面図である。
【符号の説明】
１　第１プレート
２　第２プレート
３　メダル受容具
３ａ　第１の部分
３ｂ　第２の部分
３５　開口部
３６　メダル収容部
３７　錘
３９　空間部
５　軸
１４　メダル排出口
Ｘ　メダル遊戯機
Ｚ　プレイフィールド
【図１】
2004113567.tif 000003
【図２】
2004113567.tif 000004
【図３】
2004113567.tif 000005
【図４】
2004113567.tif 000006
【図５】
2004113567.tif 000007
【図６】
2004113567.tif 000008
【図７】
2004113567.tif 000009